(57)【要約】【課題】筐体内に音響共鳴体を配置することで、筐体内に発生する特定の共鳴周波数の定在波を抑制可能であり、周波数特性に対する意図しない影響が少なく、なおかつ、外観を損なわないアップライトピアノを提供する。【解決手段】アップライトピアノ１００は、筐体２で囲まれた音響空間を有するアップライトピアノであって、開口部を有する中空領域が構成された音響共鳴体１、音響空間に配置され、前記開口部は、前記筐体の上前板の下端または下前板の上端、かつ、上前板または下前板の左右端の少なくとも一方、に配置される。【選択図】図１
2019090981.tif 000002
【特許請求の範囲】
【請求項１】
筐体で囲まれた音響空間を有するアップライトピアノであって、
開口部を有する中空領域が構成された音響共鳴体が、前記音響空間に配置され、
前記開口部は、前記筐体の上前板の下端または下前板の上端、かつ、上前板または下前板の左右端の少なくとも一方、に配置される、
アップライトピアノ。
【請求項２】
前記筐体の一部が前記音響共鳴体である、
請求項１に記載のアップライトピアノ。
【請求項３】
前記筐体の額柱が前記音響共鳴体である、
請求項２に記載のアップライトピアノ。
【請求項４】
前記開口部は、前記音響空間において発生する定在波のうち１次から５次の定在波の、音圧の腹の位置に配置される、
請求項１から３のいずれか一項に記載のアップライトピアノ。
【請求項５】
前記開口部は、前記音響空間において発生する定在波のうち６次から１０次の定在波の、音圧の節の位置に配置される、
請求項４に記載のアップライトピアノ。
【発明の詳細な説明】
【技術分野】
【０００１】
本発明は、音響共鳴体を備えたアップライトピアノに関する。
【背景技術】
【０００２】
アップライトピアノの筐体内に発生する定在波は、音響空間の周波数特性に影響を与える。例えば、特定の鍵盤に対応する周波数の音が強調されたり、減衰して聴こえたりする現象が発生する。従来、音響空間に発生する定在波を抑制する技術として共鳴管を用いた共鳴器吸音が知られている。
【０００３】
特許文献１には、放音時に筐体内に発生する特定の共鳴周波数の固定振動姿態を制御して周波数特性を調整する電子楽器が記載されている。特定周波数の固定振動姿態の音圧の腹の少なくとも一つに音響共鳴体の開口部が位置するように配置することで、筐体内において、特定周波数の音圧を低減させることができる。
【先行技術文献】
【特許文献】
【０００４】
【特許文献１】特開２０１２−１８５３３０号公報
【発明の概要】
【発明が解決しようとする課題】
【０００５】
しかしながら、特許文献１に記載の電子楽器では、筐体内に音響共鳴体を配置することで、筐体内の周波数特性が変化する場合があった。特に、電子楽器よりダイナミックレンジが広く、複雑な周波数特性を有するアップライトピアノの筐体内に音響共鳴体を配置する場合、例えば高周波帯域における筐体内の音場の乱れ等の、周波数特性に対する意図しない影響が発生する場合があった。
【０００６】
また、音響共鳴体の開口部が、複数の周波数における固定振動姿態の音圧の腹に位置する場合、意図しない周波数の音圧を低減させてしまい、周波数特性に対する意図しない影響が発生する場合があった。
【０００７】
また、アップライトピアノの筐体内に音響共鳴体を配置する場合、外観が損なわれることは可能な限り避けたい。
【０００８】
本発明は、上記の事情に鑑みなされたもので、筐体内に音響共鳴体を配置することで、筐体内に発生する特定の共鳴周波数の定在波を抑制可能であり、周波数特性に対する意図しない影響が少なく、なおかつ、外観を損なわないアップライトピアノを提供することを目的とする。
【課題を解決するための手段】
【０００９】
上記課題を解決するために、この発明は以下の手段を提案している。
本発明に係るアップライトピアノは、筐体で囲まれた音響空間を有するアップライトピアノであって、開口部を有する中空領域が構成された音響共鳴体が、前記音響空間に配置され、前記開口部は、前記筐体の上前板の下端または下前板の上端、かつ、上前板または下前板の左右端の少なくとも一方、に配置される。
【発明の効果】
【００１０】
本発明によれば、筐体内に音響共鳴体を配置することで、筐体内に発生する特定の共鳴周波数の定在波を抑制可能であり、周波数特性に対する意図しない影響が少なく、なおかつ、外観を損なわないアップライトピアノを提供することができる。
【図面の簡単な説明】
【００１１】
【図１】本発明の第一実施形態に係るアップライトピアノの全体構成を示す斜視図である。
【図２】同アップライトピアノの断面図である。
【図３】同アップライトピアノの音響共鳴体の全体構成を示す斜視図である。
【図４】同アップライトピアノの音響共鳴体の断面図である。
【図５】内部音圧の測定結果を示すグラフである。
【図６】本発明の第二実施形態に係るアップライトピアノの全体構成を示す斜視図である。
【図７】同アップライトピアノの断面図である。
【図８】アップライトピアノの音圧分布の計算結果を示す図である。
【図９】同アップライトピアノの変形例の全体構成を示す斜視図である。
【図１０】同アップライトピアノの変形例の断面図である。
【発明を実施するための形態】
【００１２】
（第一実施形態）
以下、本発明の第一実施形態に係るアップライトピアノ１００を、図１から図５を参照しながら説明する。なお、図面を見やすくするため、各構成要素の厚さや寸法の比率は適宜調整されている。
【００１３】
図１は、アップライトピアノ１００の全体構成を示す斜視図である。図２は、図１に示すアップライトピアノ１００のＢ−Ｂ’線断面図である。
アップライトピアノ１００は、図１および図２に示すように、音響共鳴体１を備えた筐体２と、ペダル部３と、鍵盤部４と、発音部５と、を備えている。本実施形態において、音響共鳴体１は、左右一対の額柱型音響共鳴体１Ｌ，１Ｒであり、アップライトピアノの額柱を置き換える部材である。
【００１４】
筐体２は、図１および図２に示すように、左右一対の額柱型音響共鳴体１Ｌ，１Ｒと、上前板２０と、下前板２１と、後板２２と、左右一対の親板２３Ｌ，２３Ｒと、後屋根２４Ｂと、前屋根２４Ｆと、棚板２５と、前框２６と、左右一対の腕木２７Ｌ，２７Ｒと、左右一対の妻土台２８Ｌ，２８Ｒと、左右一対の脚柱２９Ｌ，２９Ｒと、を有する。以降の説明において、左右方向をＸ軸と称す。
【００１５】
上前板２０および下前板２１は、図１および図２に示すように、互いに上下方向（以降、Ｙ軸方向と称す）に間隔をあけて配されている。後板２２は、上前板２０および下前板２１に、Ｘ軸とＹ軸に直交する前後方向（Ｚ軸方向）に対向して配されている。
【００１６】
上前板２０は、図１および図２に示すように、上前板２０の両側部に取り付けられた左右一対の額柱型音響共鳴体１Ｌ，１Ｒと一体に構成されており、一対の親板２３Ｌ，２３Ｒによって、左右方向から挟まれている。また、下前板２１および後板２２も、一対の親板２３Ｌ，２３Ｒによって、左右方向から挟まれている。
【００１７】
後屋根２４Ｂおよび前屋根２４Ｆは、図１および図２に示すように、上前板２０、下前板２１、後板２２および親板２３Ｌ，２３Ｒの上端を覆っている。棚板２５、前框２６および一対の腕木２７Ｌ，２７Ｒは、上前板２０の下端、下前板２１の上端、一対の親板２３Ｌ，２３Ｒの内壁面に囲まれた開口から前方に向かって突出している。
【００１８】
一対の妻土台２８Ｌ，２８Ｒは、図１および図２に示すように、それぞれ下前板２１の下側の部分における左右の端部から前方に向かって突出している。一対の脚柱２９Ｌ，２９Ｒは、それぞれ棚板２５の裏面と各妻土台２８Ｌ，２８Ｒとの間に架設されている。
【００１９】
ペダル部３は、図１に示すように、筐体２における下前板２１の下方の中央から露出する、演奏者の足により操作される操作子である。
【００２０】
鍵盤部４は、図１および図２に示すように、棚板２５上に設けられており、鍵４１と、筬中４２と、筬前４３と、筬後４４と、鍵盤蓋４５と、を有している。筐体２の棚板２５上における腕木２７Ｌと腕木２７Ｒの間には鍵４１が配列されている。鍵４１は、棚板２５上の筬中４２に支持されている。棚板２５上における筬中４２の各々の前方と後方には筬前４３と筬後４４が配置されている。前框２６の先端には鍵盤蓋４５が設けられている。
【００２１】
発音部５は、筐体２の上前板２０、下前板２１、後板２２、後屋根２４Ｂ及び前屋根２４Ｆに囲まれた音響空間内に設けられており、響板５１と、弦５２と、アクション機構５３と、ダンパ機構５４と、を有している。
図２に示すように、後板２２の前方には響板５１がある。この響板５１における鍵４１を向いた面上には発音体である弦５２が張設されている。また、鍵４１の後端部の上方にはアクション機構５３とダンパ機構５４が設けられている。アクション機構５３は、演奏者の手指が鍵４１を押鍵する押鍵力をハンマ５５が弦５２を打撃する打弦力に変換する機構である。ダンパ機構５４は、演奏者の手指が鍵４１を押鍵する押鍵力や、演奏者の足がダンパペダル３３を踏み込む踏込力を、弦５２上のダンパ５６を弦５２から離す離弦力に変換する機構である。
【００２２】
図３は、一対の額柱型音響共鳴体１Ｌ，１Ｒの一方である額柱型音響共鳴体１Ｌの全体構成を示す斜視図である。一対の額柱型音響共鳴体１Ｌ，１Ｒは左右方向に対称な構成であるため、一対の額柱型音響共鳴体１Ｌ，１Ｒについての説明は、額柱型音響共鳴体１Ｌのみについて行う。
【００２３】
額柱型音響共鳴体１Ｌは、図３に示すように、一端に開口部１０を有する第一端部１１、他端に第二端部１２を有する一端開口の共鳴管である。額柱型音響共鳴体１Ｌは、上下方向（Ｙ軸方向）に対向する第一端部１１と第二端部１２、左右方向（Ｘ軸方向）に対向する右側部１３と左側部１４、および前後方向（Ｚ軸方向）に対向する前側部１５と後側部１６、により囲まれた中空領域１７を構成する四角柱状に形成されている。開口部１０付近には、吸音部材１８が設けられている。
【００２４】
額柱型音響共鳴体１Ｌは外形が、アップライトピアノの額柱と、開口部等を除いてほぼ同じ形状に形成されている。第一端部１１が下端、第二端部１２が上端となるように、右側部１３は上前板２０にねじ止めされ、左側部１４は親板２３Ｌに接している。
【００２５】
前側部１５は、筐体２の外側に露出する部分であるので、一般的な額柱と同様の塗装がされていることが好ましい。
【００２６】
吸音部材１８は、ウレタンフォームで構成され、気体粒子の運動に対して抵抗となり、その気体粒子の運動を阻害する部材である。吸音部材１８は、粒子速度の高いところに配置することで、高い吸音効果を発揮する。開口部１０に設けられた吸音部材１８によって、額柱型音響共鳴体１Ｌの中空領域１７において発生する定在波のエネルギー消散が発生する。結果、アップライトピアノ内の定在波の抑制程度を調整することができる。
【００２７】
ここで、気体粒子の運動を妨げて、その運動に対する抵抗を発生（増大）させるものであれば、ウレタンフォーム以外の材料を用いることができる。ウレタンフォームは連続気泡の多孔質材の一例であるが、これ以外の樹脂材料（例えば、発泡樹脂）を用いた連続気泡の多孔質材を用いてもよい。また、独立気泡の多孔質材を少なくとも一部に有する材料を用いてもよい。
【００２８】
また、吸音部材１８に適用可能な部材は、いわゆる多くの孔が空いた構造を有しているものに限らず、音波に対して多孔質とみなせる構造も含む。例として、グラスウールのように、ガラス繊維が絡まっていることにより多孔質材とみなせる構造を形成する部材も含む。この部材には、布類の素材を織って形成したもののほか、布類の素材を織らずに形成したもの（例えば、不織布、金属繊維板）も含まれる。また、金属（例えば、アルミ発泡金属、金属繊維板）や、木材（例えば、木片やその砕片）、紙（木質繊維、パルプ繊維）、ガラス（例えば、ＭＰＰ（Ｍｉｃｒｏｐｅｒｆｏｒａｔｅｄ  Ｐａｎｅｌ）、微細孔パネル、エッチング処理で微細孔を形成したもの）、動植物繊維（牛毛フェルト、反毛フェルト、羊毛、綿、不織布、布、合成繊維、木粉成形材、紙成形材）などの、種々の材料を吸音部材１８に適用可能である。
【００２９】
図４は、額柱型音響共鳴体１ＬのＹＺ平面の断面図である。ただし、図４において、額柱型音響共鳴体１Ｌは、Ｙ軸が横軸、Ｚ軸が縦軸になるように示されている。
以降の説明において、図４に示すように、第一端部１１と第二端部１２との間のＹ軸方向の距離をＬとする。また、Ｙ軸と第一端部１１との交点をＹＺ座標の原点とし、Ｙ軸と第二端部１２との交点のＹＺ座標を（Ｙ，Ｚ）＝（Ｌ、０）と表現する。
【００３０】
図４に示す二点鎖線は、額柱型音響共鳴体１Ｌの中空領域１７において発生し得る定在波のうち、最も低い周波数、つまり、１次の共鳴周波数の定在波ＳＷ１に関して、気体粒子（ここでは空気）の粒子速度分布（振幅の分布）を表している。
【００３１】
図４に示すように、額柱型音響共鳴体１Ｌの中空領域１７には、第二端部１２での粒子速度がゼロとなる境界条件を満たすようにして定在波が生じる。つまり、定在波ＳＷ１にあっては、第二端部１２の位置に粒子速度分布の「節」があり、粒子速度が極小となる。一方、第一端部１１の位置に粒子速度分布の「腹」があり、粒子速度が極大となる。
【００３２】
定在波ＳＷ１は、中空領域１７の長さＬの４倍に相当する波長λｃ（Ｌ＝λｃ／４）の音波に応じて、額柱型音響共鳴体１Ｌにおいて共鳴が生じることによって発現する。このとき、額柱型音響共鳴体１Ｌは、共鳴によって生じる反射波であって入射波の位相と異なる位相の反射波を、第一端部１１を介して外部空間に放射する。このときの反射波と入射波との位相差に応じて、波長λｃに相当する共鳴周波数の音波が干渉して打ち消しあい、額柱型音響共鳴体１Ｌの共鳴周波数を中心に第一端部１１付近での音圧を低減させる効果を奏する。その結果、額柱型音響共鳴体１Ｌは、筐体２内の音響空間においてその共鳴周波数の定在波を抑制することができる。
【００３３】
すなわち、筐体２内の音響空間において抑制したい定在波の共鳴周波数を、額柱型音響共鳴体１Ｌにおいて共鳴しやすい共鳴周波数（以降、「第一共鳴周波数」と称す）とすれば、額柱型音響共鳴体１Ｌは筐体２内の音響空間において当該共鳴周波数の定在波を抑制できる。額柱型音響共鳴体１Ｌは、第一共鳴周波数において共鳴がしやすくなるように調整されている。
【００３４】
本実施形態に係るアップライトピアノ１００は、筐体内の音響空間において発生し得る定在波のうち、「音のこもり」を発生させる、共鳴周波数が１８０Ｈｚ程度の定在波を抑制対象としている。すなわち、額柱型音響共鳴体１Ｌは、アップライトピアノ１００の筐体内の音響空間において、１８０Ｈｚ程度の共鳴周波数（第一共鳴周波数）の定在波の発生を抑制するように調整されている。本実施形態においては、額柱型音響共鳴体１Ｌは、額柱型音響共鳴体１Ｌの１次の共鳴周波数が、１８０Ｈｚ程度（第一共鳴周波数）となるように調整されている。
【００３５】
額柱型音響共鳴体１Ｌの共鳴周波数の調整は、主に中空領域１７の長さＬによって行われるが、吸音部材１８によって微調整を行うことができる。例えば、開口部１０付近に配置される吸音部材１８の開口部１０に露出する面積を増やすことで、管共鳴からヘルムホルツ共鳴への遷移する性質を利用して、共鳴周波数を下げることができる。
【００３６】
一対の額柱型音響共鳴体１Ｌ，１Ｒのそれぞれの開口部１０は、図２に示すように、上前板２０の下端、かつ、上前板２０の左右端に配置される。発明者らが行った実験により、アップライトピアノにおいて、この場所は、筐体２内の音響空間において発生する定在波の内、５次以下である低次の定在波の音圧の「腹」付近が位置しており、６次から１０次程度までの高次の定在波の音圧の「節」付近が位置している。
【００３７】
本実施形態の一対の額柱型音響共鳴体１Ｌ，１Ｒは、１８０ｈｚ付近の「音のこもり」の発生を抑制することを意図している。それぞれの開口部１０が低次の定在波の音圧の「腹」付近（音圧の節の位置と比較して音圧の腹の位置に近い場所）に配置されることで、音圧の「腹」が位置しない場所に配置される場合と比較して、筐体２内の音響空間において第一共鳴周波数の定在波を好適に抑制することができる。
【００３８】
一方、それぞれの開口部１０は、高次の定在波の音圧の「腹」の位置ではなく、「節」付近（音圧の腹の位置と比較して音圧の節の位置に近い場所）に配置されている。そのため、筐体２内の音響空間において、高次の定在波を抑制しにくい。
【００３９】
このように、一対の額柱型音響共鳴体１Ｌ，１Ｒのそれぞれの開口部１０を、上記位置に配置することで、抑制対象の低次の定在波を好適に抑制でき、抑制対象ではない高次の定在波に対する意図しない影響を少なくすることができる。
【００４０】
また、一対の額柱型音響共鳴体１Ｌ，１Ｒは、図１に示すように、上前板２０の左右端に配置される。この位置は、筐体２内の音響空間において端部であり、また、そもそも額柱が配置される位置である。そのため、この位置に一対の額柱型音響共鳴体１Ｌ，１Ｒを配置しても、筐体２内の音響空間における音場の乱れを生じさせにくく、また、周波数特性に対する意図しない影響が少ない。
【００４１】
（第一実施形態の効果）
以上のように構成される本実施形態の音響共鳴体１を備えるアップライトピアノ１００によれば、筐体２内に発生する第一共鳴周波数の定在波を抑制可能である。開口部１０が低次の定在波の音圧の「腹」付近に配置することで、「音のこもり」の発生の原因となる低次の定在波の発生を抑制することができる。
【００４２】
また、本実施形態の音響共鳴体１を備えるアップライトピアノ１００によれば、開口部１０は、高次の定在波の音圧の「節」付近に配置されている。そのため、筐体２内の音響空間において、高次の定在波を抑制しにくい。
【００４３】
また、本実施形態の音響共鳴体を備えるアップライトピアノ１００によれば、額柱型音響共鳴体１は、額柱とほぼ同様の外観を有し、額柱を置き換えて配置される。そのため、音響空間における音場の乱れを生じさせにくく、また、周波数特性に対する意図しない影響が少ない。さらに、アコースティックピアノの外観が損なわれない。
【００４４】
一対の額柱型音響共鳴体１Ｌ，１Ｒを備えたアップライトピアノ１００（共鳴管あり）の内部音圧と、一対の額柱型音響共鳴体１Ｌ，１Ｒを備えず、代わりに既存の額柱２ａＬ，２ａＲを備えたアップライトピアノ（共鳴管なし）の内部音圧と、を測定する実験を行った。実験では、アップライトピアノの筐体内にスピーカを配置してホワイトノイズを再生させ、アップライトピアノの筐体内の一点において音圧の測定を行った。一対の額柱型音響共鳴体１Ｌ，１Ｒは、第一実施形態同様、１次の共鳴周波数が１８０Ｈｚ程度（第一共鳴周波数）となるように調整されている。
【００４５】
図５に実験の測定結果を示す。図５に示すように、一対の額柱型音響共鳴体１Ｌ，１Ｒを備えていないアップライトピアノの周波数特性と比較して、一対の額柱型音響共鳴体１Ｌ，１Ｒを備えているアップライトピアノ１００の周波数特性は、１８０Ｈｚ付近において、音圧レベルが低下している。額柱を置き換えて、一対の額柱型音響共鳴体１Ｌ，１Ｒを配置することで、抑制対象の１８０Ｈｚ程度（第一共鳴周波数）の音圧レベルを抑制できることが確認された。
【００４６】
以上、本発明の第一実施形態について図面を参照して詳述したが、具体的な構成はこの実施形態に限られるものではなく、本発明の要旨を逸脱しない範囲の設計変更等も含まれる。また、上述の第一実施形態および以下に示す変形例において示した構成要素は適宜に組み合わせて構成することが可能である。
【００４７】
（変形例１）
例えば、上記実施形態では、額柱型音響共鳴体１Ｌ，１Ｒは額柱を置き換えて配置するものであったが、置き換え対象の部材は額柱に限定されない。音響共鳴体は、例えば、親板型や棚板型に形成されており、親板や棚板の全部または一部を置き換えるものであってもよい。音響共鳴体が既存の部材を置き換えて配置される場合、音響空間における音場の乱れを生じさせにくく、また、周波数特性に対する意図しない影響が少ない。さらに、アコースティックピアノの外観が損なわれない。
【００４８】
（変形例２）
例えば、上記実施形態では、額柱型音響共鳴体１Ｌ，１Ｒは、左右の額柱の両方を置き換えて配置されていたが、音響共鳴体の配置態様はこれに限定されない。音響共鳴体として、一対の額柱型音響共鳴体１Ｌ，１Ｒのいずれか一方のみを、額柱と置き換えて配置してもよい。いずれか一方を置き換えて配置するのみであっても、第一共鳴周波数の定在波の発生を抑制することができ、なおかつ、設置コストを低減することができる。
【００４９】
（変形例３）
例えば、上記実施形態では、額柱型音響共鳴体１Ｌ，１Ｒは共鳴管であったが、音響共鳴体の態様はこれに限定されない。音響共鳴体は、例えばヘルムホルツ共鳴器であってもよい。また、音響共鳴体は両端開口の共鳴管であってもよい。音響共鳴体は、筐体の一部を置き換えて配置可能な共鳴体であれば、どのような態様であってもよい。
【００５０】
（第二実施形態）
本発明の第二実施形態について、図６から図１０を参照して説明する。本実施形態は、音響共鳴体が筐体内の音響空間に配置されているが、筐体の一部を置き換えていない点が第一実施形態と異なっている。以降の説明において、既に説明したものと共通する構成については、同一の符号を付して重複する説明を省略する。
【００５１】
図６は、アップライトピアノ２００の全体構成を示す斜視図である。図７は、図６に示すアップライトピアノ２００のＢ−Ｂ’線断面図である。
アップライトピアノ２００は、図６および図７に示すように、音響共鳴体１Ｂを備えた筐体２Ｂと、ペダル部３と、鍵盤部４と、発音部５と、を備えている。
【００５２】
筐体２Ｂは、図６および図７に示すように、音響共鳴体１Ｂと、上前板２０と、下前板２１と、後板２２と、左右一対の親板２３Ｌ，２３Ｒと、後屋根２４Ｂと、前屋根２４Ｆと、棚板２５と、前框２６と、左右一対の腕木２７Ｌ，２７Ｒと、左右一対の妻土台２８Ｌ，２８Ｒと、左右一対の脚柱２９Ｌ，２９Ｒと、に加え、左右一対の額柱２ａＬ，２ａＲと、を有する。
【００５３】
音響共鳴体１Ｂを除く筐体２Ｂは、一般的なアップライトピアノと同様の構成である。すなわち、アップライトピアノ２００において、筐体２Ｂは一般的なアップライトピアノの筐体に音響共鳴体１Ｂが追加されたものである。
【００５４】
音響共鳴体１Ｂは、第一実施形態の額柱型音響共鳴体１Ｌと同様の構成である。二個の音響共鳴体１Ｂが、図６および図７に示すように、下前板２１の左右の端部側に配置されており、第一端部１１を上方、第二端部１２が下方となるように、後側部１６が下前板２１に取り付けられている。開口部１０は、図６および図７に示すように、第一実施形態の開口部に近い位置に配置されている。
【００５５】
図８は、音響共鳴体１Ｂを有さない一般的なアップライトピアノにおいて、筐体内に発生する定在波（１次から１０次）の音圧分布をシミュレーションにより計算した結果である。筐体内において、音圧分布をシミュレーションにより計算した。
【００５６】
図８に示すように、開口部１０が位置する場所付近（図８において○印で示す部分）には、筐体２内の音響空間において発生する定在波の内、５次以下である低次の定在波の音圧の「腹」付近が位置している。ここで定在波の音圧の「腹」とは、音圧振幅が極大値となっている箇所である。そのため、この場所に開口部１０を配置することで、好適に、抑制対象の定在波の発生を抑制できる。
【００５７】
一方、開口部１０が位置する場所付近には、図８に示すように、抑制対象ではない６次から１０次程度までの高次の定在波の音圧の「節」付近が位置している。ここで定在波の音圧の「節」とは、音圧振幅が極小値となっている箇所である。そのため、この場所に開口部１０を配置しても、高次の定在波を抑制しにくい。
【００５８】
（第二実施形態の効果）
以上のように構成される本実施形態の音響共鳴体を備えるアップライトピアノ２００によれば、筐体２Ｂ内に発生する第一共鳴周波数の定在波を抑制可能である。音響共鳴体１Ｂが配置される場所は、筐体２Ｂ内の音響空間において左右の端部側である。そのため、この場所に一対の音響共鳴体１Ｂを配置しても、音響空間における音場の乱れを生じさせにくく、また、周波数特性に対する意図しない影響が少ない。
【００５９】
また、本実施形態の音響共鳴体を備えるアップライトピアノ２００によれば、第一実施形態同様、開口部１０が低次の定在波の音圧の「腹」付近に配置されることで、「音のこもり」の発生の原因となる低次の定在波の発生を抑制することができる。
また、開口部１０は、高次の定在波の音圧の「節」付近に配置されている。そのため、筐体２Ｂ内の音響空間において、高次の定在波を抑制しにくい。
【００６０】
また、本実施形態の音響共鳴体を備えるアップライトピアノ２００によれば、第一実施形態のようにアップライトピアノの既存の部材を置き換えて音響共鳴体１を配置する場合と比較して、音響共鳴体１を容易に筐体２Ｂ内に配置することができる。
【００６１】
以上、本発明の第二実施形態について図面を参照して詳述したが、具体的な構成はこの実施形態に限られるものではなく、本発明の要旨を逸脱しない範囲の設計変更等も含まれる。また、上述の第二実施形態および以下に示す変形例において示した構成要素は適宜に組み合わせて構成することが可能である。
【００６２】
（変形例）
例えば、上記実施形態では、音響共鳴体１Ｂは下前板２１に取り付けられていたが、音響共鳴体１Ｂの取り付け場所はこれに限定されない。図９は、アップライトピアノ２００の変形例のアップライトピアノ２００Ｂの全体構成を示す斜視図である。図１０は、図９に示すアップライトピアノ２００ＢのＢ−Ｂ’線断面図である。
二個の音響共鳴体１Ｂは、図９および図１０に示すように、第一端部１１と第二端部１２とがＸ軸方向に対向するように、上前板２０の中央付近に取り付けられている。また、二個の音響共鳴体１Ｂは、第一端部１１が左右の端部側、第二端部１２が中央側となるように、上前板２０に取り付けられている。開口部１０は、図９および図１０に示すように、第一実施形態の開口部１０に近い位置に配置されている。
【００６３】
アップライトピアノ２００Ｂにおいても、第一実施形態同様、開口部１０が低次の定在波の音圧の「腹」付近に配置することで、「音のこもり」の発生の原因となる低次の定在波の発生を抑制することができる。また、開口部１０は、高次の定在波の音圧の「節」付近に配置されている。そのため、筐体２Ｂ内の音響空間において、高次の定在波を抑制しにくい。
【００６４】
音響共鳴体１Ｂは、開口部１０が、図８に示す音圧分布において、低次の定在波の音圧の「腹」付近で、高次の定在波の音圧の「節」付近に配置することで、上記実施形態と同様の効果を発揮することができる。
【符号の説明】
【００６５】
１００，２００，２００Ｂ…アップライトピアノ、１，１Ｂ…音響共鳴体、１Ｌ，１Ｒ…額柱型音響共鳴体、１０…開口部、１１…第一端部、１２，１２Ｂ…第二端部、１３…右側部、１４…左側部、１５…前側部、１６…後側部、１７…中空領域、１８…吸音部材、１９…開口部、２，２Ｂ…筐体、２０…上前板、２１…下前板、２２…後板、２３Ｌ，２３Ｒ…親板、２４Ｂ…後屋根、２４Ｆ…前屋根、２５…棚板、２６…前框、２７Ｌ，２７Ｒ…腕木、２８Ｌ，２８Ｒ…妻土台、２９Ｌ，２９Ｒ…脚柱、２ａＬ，２ａＲ…額柱、３…ペダル部、４…鍵盤部、４１…鍵、４２…筬中、４３…筬前、４４…筬後、４５…鍵盤蓋、５…発音部、５１…響板、５２…弦、５３…アクション機構、５４…ダンパ機構、５５…ハンマ、５６…ダンパ
【図１】
2019090981.tif 000003
【図２】
2019090981.tif 000004
【図３】
2019090981.tif 000005
【図４】
2019090981.tif 000006
【図５】
2019090981.tif 000007
【図６】
2019090981.tif 000008
【図７】
2019090981.tif 000009
【図８】
2019090981.tif 000010
【図９】
2019090981.tif 000011
【図１０】
2019090981.tif 000012